(57)【特許請求の範囲】
【請求項１】
カードを手によって挿入および排出するカード挿入口兼排出口と、このカード挿入口兼排出口に連通されたカード通路と、このカード通路を形成し互いに対向する第１および第２の通路形成板と、この第２の通路形成板に対向し前記カード通路に挿入されたカードに記録されている情報を無線によって処理するアンテナ基板とを備え、前記アンテナ基板を前記第２の通路形成板に対して接離自在に支持し、前記第２の通路形成板に窓を設けたことを特徴とする非接触型ＩＣカード処理装置。
【発明の詳細な説明】
【技術分野】
【０００１】
本発明は、無線によってカードに記録されている情報を処理する非接触型ＩＣカード処理装置に関するものである。
【背景技術】
【０００２】
従来の非接触型ＩＣカード処理装置としては、カードを手によって挿入および排出するカード挿入口兼排出口と、このカード挿入口兼排出口に連通されたカード通路と、このカード通路を形成し互いに対向する通路形成部および天井板と、前記カード通路に挿入されたカードに記録されている情報を無線によって処理するアンテナ基板とを備えたものがある（例えば、特許文献１参照）。
【特許文献１】特願２００５−２１５８２７号明細書（段落「００１３」、「００２４」および図２）
【発明の開示】
【発明が解決しようとする課題】
【０００３】
近年、乗車切符として使用する非接触型ＩＣカードを駅構内の販売店において、商品の購入用としても使用可能としたサービスが展開され始めている。この場合、販売店に設置されている非接触型ＩＣカード処理装置のカード挿入口に誤って持ち合わせの乗車切符を挿入してしまうことがある。上述した従来の非接触型ＩＣカード処理装置においては、カード通路内に挿入されたカードを搬送する手段を有していないばかりか、カード以外の異物をカード挿入路から取り除く手段も有していない。このため、仮にカードよりも外形の小さい乗車切符等が挿入された場合、非接触型ＩＣカード処理装置を傾けて異物の自重を利用してカード挿入口から落下させたり、カード挿入口から物差し等の長尺物を差し入れて異物を取り除いたりしなければならないため、使い勝手が悪いという問題があった。
【０００４】
本発明は上記した従来の問題に鑑みなされたものであり、その目的とするところは、誤ってカード挿入路内に挿入された異物を容易に取り除くようにし使い勝手を向上させた非接触型ＩＣカード処理装置を提供するところにある。
【課題を解決するための手段】
【０００５】
この目的を達成するために、請求項１に係る発明は、カードを手によって挿入および排出するカード挿入口兼排出口と、このカード挿入口兼排出口に連通されたカード通路と、このカード通路を形成し互いに対向する第１および第２の通路形成板と、この第２の通路形成板に対向し前記カード通路に挿入されたカードに記録されている情報を無線によって処理するアンテナ基板とを備え、前記アンテナ基板を前記第２の通路形成板に対して接離自在に支持し、前記第２の通路形成板に窓を設けたものである。
【発明の効果】
【０００７】
請求項１に係る発明によれば、アンテナ基板を第２の通路形成板から離間させて第２の通路形成板の周囲を開放することにより、第２の通路形成板の窓からカード通路内に指を差し入れることが可能なため、カード通路内に挿入された異物を簡単に取り除くことができる。また、異物を取り除いた後は、アンテナ基板を第２の通路形成板に対向させることにより、通常のカード処理作業を行うことができるため使い勝手が向上する。
【発明を実施するための最良の形態】
【０００９】
以下、本発明の実施の形態を図に基づいて説明する。図１は本発明に係る非接触型ＩＣカード処理装置の平面図、図２は図１におけるII-II 線断面図、図３は図１におけるIII-III 線断面図、図４は同じくアンテナ基板をカード通路から離間させた状態を示す平面図、図５は図４におけるV-V 線断面図である。
【００１０】
図３に示すように、全体を符号１で示す非接触型ＩＣカード処理装置（以下、単に処理装置という）には、この処理装置１を販売店のレジ台等に載置するための左右のブラケット２Ａ，２Ｂが備えられている。これらブラケット２Ａ，２Ｂのそれぞれには、矢印Ａ−Ｂ方向に延在する溝３，３が設けられており、上部には折曲形成された取付片４，４が設けられている。
【００１１】
５は後述するカード通路１７を形成するためのハウジングであって、上板７と両側板８，８とによって断面コ字状に形成されており、両側板８，８に突設した凸条体９，９が左右のブラケット２Ａ，２Ｂの溝３，３に嵌合されることにより、ブラケット２Ａ，２Ｂに取り付けられる。このハウジング５の上板７には矩形状の開口６が設けられており、この開口６の周縁には、カード通路１７の両側部を形成する側壁１０，１０が下方に突設され、これら側壁１０，１０の下部間には、カード通路１７の底部を形成する第１の通路形成板１１が一体に設けられている。図２において、１２は第１の通路形成板１１に立設された係止部であって、カード通路１７に挿入された非接触型ＩＣカード（以下、単にカードという）２０の前端を係止し、カード２０をカード通路１７内において後述するアンテナ基板３５による情報処理が可能な所定位置に位置付けるものである。１３はハウジング５の下方側の開口を覆う底板である。
【００１２】
図２および図３において、１５はハウジング５の開口６を覆うようにハウジング５に取り付けられる第２の通路形成板であって、上記した第１の通路形成板１１と、両側壁１０，１０とによって矢印Ａ−Ｂ方向に延在するカード通路１７を形成している。この第２の通路形成板１５には、指を差し入れることができる２つの矩形状の窓１６，１６が設けられている。このカード通路１７の矢印Ｂ方向の端部には、このカード通路１７に連通されたカード挿入口兼排出口１８が設けられている。カード２０にはアンテナコイルがプリント配線されているとともに、情報を記録するＩＣチップ（いずれも図示せず）が実装されている。このカード２０はカード挿入口兼排出口１８から手によって挿入され、係止部１２に前端が係止されることにより、図１に示すように後端部がカード挿入口兼排出口１８から露呈している。
【００１３】
図３において、２１は両側板２２，２３を備えた断面コ字状に形成された支持ブラケットであって、一方の側板２２の下端には直角に折曲形成された被取付片２２ａが設けられており、他方の側板２３の下部には係合溝２３ａが設けられている。この支持ブラケット２１の被取付片２２ａは、ブラケット２Ｂの取付片４にねじ２４によって取り付けられている。
【００１４】
２５は下部に直角に折曲形成された底板２６が設けられた支持板であって、この支持板２５の両端部には、図１に示すように互いに対向する腕部２７，２７が折曲形成されており、底板２６が、図３に示すようにブラケット２Ａの取付片４にねじ２８によって取り付けられている。図１において、３０は４つの側部３０Ａないし３０Ｄによって枠状にプラスチックで一体に形成されたホルダーであって、下端部には、図３に示すように内側に向かって突設された載置片３０ａが設けられている。このホルダー３０の側部３０Ａには、図１に示すように互いに対向する腕部３１，３１が突設されている。
【００１５】
また、このホルダー３０の側部３０Ｃには、弾性変形可能な平面視においてＬ字状に形成された弾性片３３が突設されており、この弾性片３３には、図３に示すように上記した支持ブラケット２１の係合溝２３ａに係脱自在な爪部３３ａが設けられている。さらに、このホルダー３０の側部３０Ｂ，３０Ｄには、上端部に爪部が設けられた弾性係合片３４，３４が設けられている。３５はカード２０に記録されている情報を無線によって処理するアンテナ基板であって、ホルダー３０の上方から挿入され、下端を載置片３０ａに載置され、上端に弾性係合片３４，３４の爪部を係合させることによりホルダー３０内に保持される。
【００１６】
このホルダー３０は、図１に示すように、ホルダー３０の腕部３１，３１間および支持板２５の腕部２７，２７間に挿通された軸３６を回動中心として支持板２５に、図３および図５に示すように矢印Ｃ−Ｄ方向に回動自在に支持されている。このホルダー３０を軸３６を回動中心として矢印Ｄ方向に回動させることにより、図３に示すように弾性片３３の爪部３３ａが支持ブラケット２１の係合溝２３ａに係合する。この係合によって、アンテナ基板３５は第２の通路形成板１５に近接した状態で対向して、カード通路１７にも近接した状態で対向する。一方、弾性片３３の爪部３３ａと支持ブラケット２１の係合溝２３ａとの係合を解除し、軸３６を回動中心として矢印Ｃ方向に略１００°だけ回動させることにより、図５に示すように、ホルダー３０の腕部３１が支持板２５に係合する。この状態で、アンテナ基板３５が第２の通路形成板１５から離間し、第２の通路形成板１５の上方が開放される。
【００１７】
次に、このように構成された処理装置１において、カード２０の処理動作について説明する。予め、ホルダー３０を軸３６を回動中心として矢印Ｄ方向に回動させ、図３に示すように弾性片３３の爪部３３ａを支持ブラケット２１の係合溝２３ａに係合させることにより、アンテナ基板３５を第２の通路形成板１５に近接した状態で対向させて、カード通路１７に近接した状態で対向させる。この状態としてから、カード２０を手によって処理装置１のカード挿入口兼排出口１８から、図２に示すようにカード通路１７内に矢印Ａ方向に挿入し、カード２０の前端を係止部１２に当接させる。
【００１８】
この状態で、カード２０と処理装置１のアンテナ基板３５とが対向するので、カード２０に記録されている情報が、カード２０のアンテナ部（図示せず）とアンテナ基板３５との間で送受信される無線によって処理される。カード２０に記録されている情報の処理が終了したら、カード挿入口兼排出口１８から露呈しているカード２０の後端部を手によって把持し、カード２０を矢印Ｂ方向に引き抜き、カード挿入口兼排出口１８から排出する。
【００１９】
ここで、誤って、利用者がカード挿入口兼排出口１８から切符４０をカード通路１７内に挿入してしまうと、カード２０よりも外形寸法の小さい切符４０が図４および図５に示すようにカード通路１７内に入り込んでしまい、カード挿入口兼排出口１８から引き抜き取り出すことができない場合がある。この場合は、処理装置１を管理している管理者が、ホルダー３０の弾性片３３の爪部３３ａと、支持ブラケット２１の係合溝２３ａとの係合を解除する。次いで、ホルダー３０を、図５に示すように軸３６を回動中心として矢印Ｃ方向に略１００°だけ回動させ、ホルダー３０の腕部３１を支持板２５に係合させることにより、アンテナ基板３５を第２の通路形成板１５から離間させ、図４に示すように第２の通路形成板１５の上方を開放する。
【００２０】
この状態で、管理者は第２の通路形成板１５の窓１６からカード通路１７内に指を差し入れ、カード通路１７内に入り込んだ切符４０を取り除く。切符４０を取り除いた後、ホルダー３０を軸３６を回動中心として矢印Ｄ方向に回動させ、図３に示すように弾性片３３の爪部３３ａを支持ブラケット２１の係合溝２３ａに係合させることにより、アンテナ基板３５を第２の通路形成板１５に近接した状態で対向させて、カード通路１７に近接した状態で対向させる。したがって、再び処理装置１の使用が可能になる。
【００２１】
このように、誤って利用者が切符４０をカード挿入口兼排出口１８からカード通路１７内に挿入したとしても、簡単にカード通路１７内から切符４０を取り除くことができるため使い勝手が向上する。また、切符４０を取り除いた後、すぐに処理装置１の使用が可能になるため、処理装置１を管理する管理者の業務に支障をきたすようなこともない。また、処理装置１の中央部に設けた外形寸法の大きいカード通路１７を開閉することなく、処理装置１の外側に設けたアンテナ基板３５を回動させる構造としたため、構造を簡素化することができる。
【００２２】
なお、本実施の形態においては、カード通路１７を２枚の第１および第２の通路形成板１１，１５によって形成するようにしたが、カード通路１７を第１の通路形成板１１とアンテナ基板３５とによって形成してもよく、その場合は第２の通路形成板１５は不要になる。また、カード通路１７内に挿入される異物を切符４０を例として説明したが、レシート等が挿入された場合もこれを取り除くことができる。
【図面の簡単な説明】
【００２３】
【図１】本発明に係る非接触型ＩＣカード処理装置の平面図である。
【図２】図１におけるII-II 線断面図である。
【図３】図１におけるIII-III 線断面図である。
【図４】本発明に係る非接触型ＩＣカード処理装置において、アンテナ基板をカード通路から離間させた状態を示す平面図である。
【図５】図４におけるV-V 線断面図である。
【符号の説明】
【００２４】
１…非接触型ＩＣカードリーダ、１１…第１の通路形成板、１５…第２の通路形成板、１６…窓、１７…カード通路、１８…カード挿入口兼排出口、２０…非接触型ＩＣカード、２３ａ…係合溝、３０…ホルダー、爪部…３３ａ、３５…アンテナ基板、３６…軸、４０…切符。
【図１】
0004839863.tif 000002
【図２】
0004839863.tif 000003
【図３】
0004839863.tif 000004
【図４】
0004839863.tif 000005
【図５】
0004839863.tif 000006